(57)【要約】  【課題】  スタッキングのピッチが大きくなることを抑制できる机を提供する。  【解決手段】スタッキング可能に構成された机であって、天板と、上記天板の下側面に配置される下部構造体と、荷物を掛けることができるように構成された保持部と、を備える。下部構造体は、複数の当該机をスタッキングしたときに、上側に配置される机の上記下部構造体の下端が、下側に配置される机の上記天板に当接する。上記保持部は上記下部構造体から延び出しており、当該机を上記天板と並行な仮想的な面に投影したときには、上記保持部の一部が上記天板の外側に位置しており、また上記保持部は、上記天板の下方においては、上記下部構造体の下端を通過する上記天板と平行な仮想的な面と、上記天板と、の間の空間を通過して上記天板の外部まで延び出す。【選択図】図１
2019037301.tif 000002
【特許請求の範囲】
【請求項１】
スタッキング可能に構成された机であって、
天板と、
前記天板の下側面に配置される下部構造体と、
荷物を掛けることができるように構成された保持部と、を備え、
前記下部構造体は、複数の当該机をスタッキングしたときに、上側に配置される前記机の前記下部構造体の下端が、下側に配置される机の天板に当接するように構成されており、
前記保持部は前記下部構造体から延び出しており、当該机を前記天板と並行な仮想的な面に投影したときには、前記保持部の一部が前記天板の外側に位置しており、
また前記保持部は、前記天板の下方においては、前記下部構造体の下端を通過する前記天板と平行な仮想的な面と、前記天板と、の間の空間を通過して前記天板の前記外側まで延び出す、机。
【請求項２】
請求項１に記載の机であって、
前記保持部は、前記下部構造体を構成する部材の一部である、机。
【請求項３】
請求項２に記載の机であって、
前記下部構造体は、前記天板の重心を通過して高さ方向に広がる仮想的な平面によって前記天板を２つの部分に区分したときに、その両方の部分を支持する支持部材を含み、
前記保持部は、前記支持部材の一部である、机。
【請求項４】
請求項１から請求項３のいずれか１項に記載の机であって、
前記天板を床面から離れた位置に保持する、上下に長さを有する脚部を備えており、
前記保持部は、前記脚部により支持される、机。
【発明の詳細な説明】
【技術分野】
【０００１】
本開示は、荷物を掛けることができる保持部を有する机に関する。
【背景技術】
【０００２】
従来、荷物を保持するためのフックなどの保持部は、下記特許文献１に記載されるように、天板の下方に設けられていた。
【先行技術文献】
【特許文献】
【０００３】
【特許文献１】特開２０１２−１００７４８号公報
【発明の概要】
【発明が解決しようとする課題】
【０００４】
スタッキング可能な机においては、スタッキングのピッチが小さいほど多数の机を安定して積めるため都合がよい。スタッキングのピッチは、天板の厚さのみでなく、天板の下方に配置される様々な部材の高さが影響する。そして、それらの部材の高さが小さいほど、スタッキングのピッチが小さくなる。
【０００５】
天板の下方にフックなどの保持部を備える場合、保持部を構成する部材の高さがピッチに影響してしまい、ピッチが大きくなるという問題があった。
本開示の目的は、スタッキングのピッチが大きくなることを抑制できる机を提供することである。
【課題を解決するための手段】
【０００６】
本開示の一態様は、スタッキング可能に構成された机であって、天板と、前記天板の下側面に配置される下部構造体と、荷物を掛けることができるように構成された保持部と、を備える。前記下部構造体は、複数の当該机をスタッキングしたときに、上側に配置される前記机の前記下部構造体の下端が、下側に配置される机の天板に当接するように構成されている。前記保持部は前記下部構造体から延び出しており、当該机を前記天板と並行な仮想的な面に投影したときには、前記保持部の一部が前記天板の外側に位置しており、また前記保持部は、前記天板の下方においては、前記下部構造体の下端を通過する前記天板と平行な仮想的な面と、前記天板と、の間の空間を通過して前記天板の外部まで延び出す。
【０００７】
このような構成であれば、天板の下方においては、保持部が、少なくとも天板と下部構造体の下端との間の高さに存在することとなる。そのため、保持部がその存在によってスタッキングのピッチに与える影響を低減でき、保持部によって机のスタッキングのピッチが大きくなってしまうことを抑制できる。
【０００８】
上記机において、前記保持部は、前記下部構造体を構成する部材の一部であってもよい。このような机であれば、保持部と下部構造体とを同一の部材により構成することができるため、保持部として個別に部品を準備する必要がなく都合がよい。
【０００９】
この場合、前記下部構造体は、前記天板の重心を通過して高さ方向に広がる仮想的な平面によって前記天板を２つの部分に区分したときに、その両方の部分を支持する支持部材を含んでもよい。また保持部材は、前記支持部材の一部であってもよい。このような机であれば、天板を支持する強度の高い部材に保持部が設けられているため、保持部の強度を高めることができる。
【００１０】
また、上述した机は、上記天板を床面から離れた位置に保持する、上下に長さを有する脚部を備えており、上記保持部は、上記脚部により支持されていてもよい。
このような机であれば、脚部により保持部が支持されるため、保持部に荷物が掛けられたときに机が不安定になりにくい。
【図面の簡単な説明】
【００１１】
【図１】実施形態の机の斜視図である。
【図２】実施形態の机の斜視図である。
【図３】実施形態の天板及び幕板の斜視図である。
【図４】机がスタッキングした状態を示す側面図である。
【図５】実施形態の机の平面図である。
【図６】図５のＶＩ−ＶＩ断面図である。
【図７】図５のＶＩＩ−ＶＩＩ断面図である。
【図８】保持部近傍の拡大斜視図である。
【図９】変形例の机の斜視図である。
【図１０】変形例の机の斜視図である。
【図１１】図１１Ａ〜図１１Ｄは、変形例の保持部を示す正面図である。
【図１２】図１２Ａ及び図１２Ｂは、変形例の下部構造体を示す平面図である。
【発明を実施するための形態】
【００１２】
以下に本開示の実施形態を図面と共に説明する。
［１．実施形態］
［１−１．全体構成］
本実施形態の机１は、図１及び図２に示されるように、天板１１と、幕板１３と、フレーム１５と、を有している。机１は使用者の着席位置が想定されるものであって、天板１１の後方が着席側となる。机１は左右方向に関して対称形である。
【００１３】
天板１１は、主板２１と、左右一対の側板２５と、後板２６と、を備える。主板２１は、略矩形であって前後左右に拡がる。
前板２３は、主板２１の前端から下方に延びる。側板２５は、主板２１の左右両端から下方に延びる。後板２６は、主板２１の後端から下方に延びる。天板１１は、下方が開放された箱型の形状である。主板２１の後端における一部の範囲は下方に傾斜しており、その結果、後板２６の上下方向の幅は側板２５よりも小さくなっている。
【００１４】
前板２３は、その下端の左右両側部において幕板１３と連接するように構成されている。天板１１と幕板１３の前側面の段差は小さく形成されており、それによって、天板１１と幕板１３とが一体的な印象を与える形状となる。また前板２３の下端の中央部と幕板１３の上端の中央部との間には、指などを挿入可能な手掛け部３１が形成されている。
【００１５】
図３に示されるように、側板２５には、前後方向に関して中央よりもやや後方寄りの位置に、半円形の上向きの溝２７が形成されている。この溝２７は、言い換えると、天板１１の下側の面に設けられた、天板１１の側面に到達する溝である。主板２１の下側面には、前後方向に延びる中空の略直方体である突条部２８が左右に１つずつ設けられている。
【００１６】
説明を図１及び図２に戻る。
幕板１３は、略矩形の板状の部材であって、机１の前方において前板２３の下端につながるように配置される。
【００１７】
フレーム１５は、上下に長さを有し、天板１１及び幕板１３を床面から離れた位置に保持する脚部４１を、左右両側に有する。脚部４１は、前脚４２、後脚４３、及び連結部４４を有する。前脚４２は、脚部４１の中では相対的に前方に位置し、上下方向に延びる。後脚４３は、脚部４１の中では相対的に後方に位置し、上下方向に延びる。連結部４４は、前脚４２と後脚４３の下端を前後に連結する。
【００１８】
またフレーム１５は、天板１１を支持する下部構造体５０として、前杆５１、天板支持部５２、左右両側に設けられた一対の前後杆５３、及び、スタックガード５４を有する。これらは、天板１１の下側面に沿って配置される。
【００１９】
前杆５１は、左右両側の前脚４２の上端同士を連結する。天板支持部５２は、左右両側の後脚４３の上端同士を連結する。前後杆５３は、突条部２８を左右及び下方から覆うように設けられ、前後に並ぶ前杆５１と天板支持部５２とを連結する。スタックガード５４は前後杆５３の下側の面に配置されており、前後方向に長さを有する。またスタックガード５４は下部構造体５０の下端に位置する。
【００２０】
天板支持部５２は、天板１１の重心を通過して高さ方向に広がる仮想的な平面によって天板１１を左右の２つの部分に区分したときに、その左右両方の部分において、下方から天板１１を支持する部材である。言い換えると、天板支持部５２は、天板１１における左右方向の中心を境界とした一方の側及び他方の側の両方において、天板１１の荷重を受ける部分を有している。天板支持部５２が、支持部材に相当する。
【００２１】
また、前杆５１、天板支持部５２、及び前後杆５３は、主板２１に対して下方から直接的に又は間接的に接触し、天板１１を支持している。
天板支持部５２は左右両端よりも左右中央部分が後方に位置するように屈曲している。また天板支持部５２は、左右両方の端部において、溝２７の内部を通過して天板１１の側方に延び出した保持部６１として形成されている。すなわち、保持部６１は下部構造体５０を構成する部材である天板支持部５２の一部であり、下部構造体５０から延び出している。
【００２２】
この机１は、スタッキングが可能に構成されている。図４に示されるように、複数の机１がスタッキングされた状態で、上側の机１が、下側の机１よりも若干前方にずれて配置される。下側に配置される机１の天板１１の主板２１における上側の面に、上側に配置される机１のスタックガード５４の下端面が当接する。よって、上下に重なった２つの机１の上下方向の高さの差は、一つの机１における主板２１における上側の面からスタックガード５４の下端面までの高さとなる。
【００２３】
［１−２．保持部］
図５〜図８を用いて保持部６１を説明する。机１を天板１１と並行な仮想的な面に投影したときには、保持部６１は、図５に示されるように、保持部６１の一部が天板１１の左右方向の外側に位置する。ここでいう仮想的な面とは、前後方向及び左右方向に広がる平面である。また後脚４３は、保持部６１において天板支持部５２と連結している。
【００２４】
また保持部６１の主たる部分は、左右方向に関して、脚部４１における床面と接触する部分である連結部４４よりも机１の中央側に位置している。
保持部６１の上下方向に関する配置について、図６を用いて説明する。天板１１と平行な仮想的な面であって、下部構造体５０の下端を通過する面を、下端面７１とする。机１においては、下端面７１は、スタックガード５４の下端を通過する。
【００２５】
保持部６１は天板支持部５２から水平に延び出している。言い換えると、天板支持部５２は、保持部６１の部分も含めて水平方向に広がって配置されている。そして、天板支持部５２の下端はスタックガード５４の下端よりも上方に位置している。よって、保持部６１は、その全体が、下端面７１よりも上方を通過して天板１１の外側まで延び出している。
【００２６】
また保持部６１は天板１１の下側の面に設けられた溝２７の下方を通過しているため、天板１１の下方に位置している。ここでいう天板１１の下方とは、垂直方向に関して天板１１の真下を意味する。
よって、保持部６１は、天板１１の下方においては、下端面７１と、天板１１と、の間の空間を通過して、左右方向に関して天板１１の外側まで延び出している。
【００２７】
また保持部６１は、図７及び図８に示されるように、荷物８１の提手８３を掛けることができるように構成されている。保持部６１の上側に位置する面は、荷物８１を掛けたときに上方向からの荷重を受ける面である荷物保持面６３となる。荷物保持面６３は、天板支持部５２に設けられ、天板１１の側方に位置する。
【００２８】
荷物保持面６３の下方に、保持部６１と後脚４３との連結部分が位置する。言い換えると、後脚４３の上端に、保持部６１が配置されている。よって、保持部６１は、脚部４１により支持されることとなる。
【００２９】
天板１１の側面の一部、具体的には側板２５における溝２７の周囲の部分は、荷物保持面６３に掛けられた荷物８１の提手８３が天板１１の位置する方向に移動したときに当接する当接面２９となる。
【００３０】
保持部６１の左右方向の先端には、保持部６１よりも大きな直径の円板状の係止部６５が設けられている。係止部６５は上端が荷物保持面６３よりも高い位置にあるため、荷物８１が天板１１から離れる方向へ移動して荷物保持面６３から脱落してしまうことを抑制する。
【００３１】
［１−３．効果］
以上詳述した実施形態によれば、以下の効果が得られる。
（１ａ）本実施形態の机１では、天板１１の下方においては、上下方向に関して、保持部６１が少なくとも天板１１と下部構造体５０の下端（スタックガード５４の下端）を示す面である下端面７１との間に位置する。
【００３２】
このような机１であれば、保持部６１によって机１のスタッキングのピッチが大きくなってしまうことを抑制できる。この理由を以下に説明する。なおスタッキングのピッチとは、複数の机１がスタッキングされた状態において、下側の机１と上側の机１との上下方向の高さの差である。
【００３３】
保持部６１を考慮しない場合、机１をスタッキングしたときのスタッキングのピッチは、主板２１における上側の面からスタックガード５４の下端までの高さとなる。
仮に、保持部６１が、少なくとも保持部６１の一部が下端面７１よりも下方に存在するように配置されている場合、スタッキングのピッチに保持部６１が影響することとなり、上述した高さよりもスタッキングのピッチが大きくなってしまう。しかしながら机１は、保持部６１の全体が下端面７１より上方に配置されるため、スタッキングのピッチに保持部６１が影響を与えることを抑制できる。
【００３４】
（１ｂ）保持部６１は、天板支持部５２に設けられているため、保持部６１を構成するための部品を別途設ける必要がなく、構成を簡便なものとすることができる。また、天板支持部５２が天板１１を広く左右に亘って支持する部材であるため、保持部６１自体の強度を高くすることができる。
【００３５】
（１ｃ）保持部６１は溝２７の内部を通過して天板１１の側方に延び出しているため、天板１１と保持部６１との一体感を創出することができ、机１の美観を向上させることができる。
【００３６】
（１ｄ）保持部６１は、荷物保持面６３の下方から後脚４３に支持されているため、荷物を６１に掛けることにより加わる荷重の影響を小さくして、机１の傾き、転倒を抑制し、机１を安定した状態とすることができる。
【００３７】
（１ｅ）保持部６１は、机１を上方から見たときに、左右の連結部４４の間に位置する。連結部４４は脚部４１における床面と接触する部分であるから、保持部６１に荷物８１が掛けられたとき、その荷重の加わる位置は、机１が床面と接触する左右の端部の間に位置することとなる。よって、荷物８１を保持部６１に掛けたときに、その荷重によって机１が傾いたり転倒したりしてしまうことを抑制できる。
【００３８】
［２．その他の実施形態］
以上本開示の実施形態について説明したが、本開示は、上記実施形態に何ら限定されることはなく、本開示の技術的範囲に属する限り種々の形態をとり得ることはいうまでもない。
【００３９】
（２ａ）上記実施形態においては、屈曲した円柱形状である天板支持部５２の一部が保持部６１として形成される構成を例示した。しかしながら保持部はこれに限定されず、下部構造体から天板の外側に延び出しており、かつ、天板の下方においては下部構造体の下端面と天板の間の空間を通過して天板の外側に延び出している、様々な構成とすることができる。
【００４０】
例えば、保持部は円柱形である必要はなく、断面が矩形であってもよいし、板状部材や線状部材を束ねたり折り曲げたりして構成されるものであってもよい。
また、下部構造体５０を構成する要素のうち、天板支持部５２以外の他の要素の一部であってもよい。例えば前杆５１や前後杆５３の一部であってもよい。また、樹脂部品であるスタックガード５４の厚みが実施形態よりも大きい場合には、保持部はスタックガード５４の一部であってもよい。なお、ここでいう一部とは、保持部が、下部構造体を構成する要素と一体に形成されていることを意味しており、それらの要素に対して着脱可能であるものは含まない。
【００４１】
また、図９及び図１０に示される机９０の保持部９１のように、保持部９１を覆うカバー９３が設けられていてもよい。机９０において、カバー９３は、天板９２と一体に構成されている。
【００４２】
机９０のフレームは図１のフレーム１５とほぼ同一の形状であるため、同一の符号を用いて説明を省略する。なお、カバー９３は下方が開放された直方体の箱型であり、その内部に保持部９１が配置される。
【００４３】
保持部を覆うカバーは、もちろん、天板の一部でなくともよい。例えば、カバーは保持部に対してのみ固定される部材であってもよい。また、カバー以外の機能を有する部材が保持部に設けられていてもよい。
なお、カバーのような保持部に取り付けられる部材が、天板の下方においても存在する場合には、保持部同様に、下部構造体の下端を通過する天板と平行な仮想的な面と、天板と、の間の空間を通過して天板の外側まで延び出していてもよい。
【００４４】
また、図１１Ａに示される保持部１０１のように、下部構造体１０３の下端面１０４と、保持部１０１の下端とが同一面上に存在していてもよい。このような保持部１０１であれば、スタッキングを行ったときに保持部１０１がピッチを広げてしまうことが抑制できる。
【００４５】
また、図１１Ｂに示される保持部１１１のように、下部構造体１１３とは別の部材が、下部構造体１１３に設けられ、下部構造体１１３から天板１１２の外部に延び出していてもよい。また保持部１１１は、下部構造体１１３に着脱可能に取り付けられるものであってもよい。
また、図１１Ｃに示される保持部１２１のように、下部構造体１２３から延び出した保持部１２１が天板１２２から間隔を空けた位置に設けられていてもよい。
【００４６】
（２ｂ）下部構造体は、上記実施形態の構成に限定されない。天板の下側面に沿って配置され、天板を支持する様々な構成とすることができる。例えば、下部構造体は、上記実施形態のように前杆５１、天板支持部５２、及び前後杆５３にて構成されていなくてもよい。下部構造体は、天板を支持する、１つ又は２つ以上の様々な形状の部材によって構成されうる。
【００４７】
また上記実施形態においては、天板支持部５２は、左右の中央部が後方に屈曲した構成であったが、それ以外の形状であってもよい。例えば真っ直ぐな柱状であってもよい。
なお、下部構造体が複数の部材を含む場合、保持部は、天板の下方においては、下部構造体に含まれる複数の部材それぞれの下端面のうち、最も低い位置となる下端面よりも上方の空間を通過して天板の外側まで延び出していればよい。
【００４８】
（２ｃ）上記実施形態においては、天板支持部５２は、左右方向に関して、天板１１の重心を通過して高さ方向に広がる仮想的な平面によって天板１１を２つの部分に区分したときに、その左右両方の部分を支持する部材である構成を例示した。
【００４９】
しかしながら、保持部は、左右以外の方向について上述したように天板を区分したときにその両方の側を支持する支持部材に設けられていてもよい。例えば、図１２Ａに示されるように、保持部１３１は、前後方向に関して天板１３２の前方部及び後方部の両方を支持する下部構造体１３３に設けられていてもよい。また、図１２Ｂに示されるように、保持部１４１ａ〜１４１ｄは、前後方向及び左右方向のいずれかにおいて、その方向に関する天板１４２の両方の側を支持する下部構造体１４３ａ〜１４３ｄに設けられていてもよい。
【００５０】
（２ｄ）上記実施形態では、荷物保持面６３の下方において保持部６１と後脚４３とが連結し、保持部６１が後脚４３によって支持される構成を例示した。しかしながら、保持部６１は脚部４１によって保持されていなくてもよい。
【００５１】
（２ｅ）上記実施形態では、板状部品を組み合わせてなる箱型の天板１１と、パイプを屈曲及び溶接した形状のフレーム１５と、により構成される机１を例示したが、机の構成は上記実施形態の構成に限定されない。
【００５２】
例えば、天板は、厚みのある板状の部材であってもよい。またそのように構成したとき、天板の下側面に下部構造体が通過する溝を形成する場合には、天板の下面に広く溝が形成されていてもよいし、図１１Ｄに示されるように、天板１５２の側面１５４近傍においてのみ溝１５６が形成されていてもよい。この場合、溝１５６を通過して保持部１５１が天板１５２の側方に延び出すように構成することができる。
【００５３】
また、下部構造体５０を構成する前杆５１、天板支持部５２、前後杆５３、及びスタックガード５４は、主たる部分が天板１１の下側面に沿って形成される構成を例示した。しかしながら下部構造体は、その大部分において天板の下側面に沿っている形状でなくともよく、下部構造体における少なくとも天板の荷重を受ける部分が、天板の下側面に沿っていればよい。また、例えば図１１Ｃに示されるように、下部構造体１２３が中間部材１２７を介して間接的に天板１２２を支持していてもよい。
【符号の説明】
【００５４】
１…机、１１…天板、１３…幕板、１５…フレーム、２１…主板、２３…前板、２５…側板、２６…後板、２７…溝、２８…突条部、２９…当接面、３１…手掛け部、４１…脚部、４２…前脚、４３…後脚、４４…連結部、５０…下部構造体、５１…前杆、５２…後杆、５３…前後杆、６１…保持部、６３…荷物保持面、６５…係止部、７１…下端面、８１…荷物、８３…提手、９０…机、９１…保持部、９２…天板、９３…カバー、１０１…保持部、１０２…天板、１０３…下部構造体、１０４…下端面、１０５…脚部、１１１…保持部、１１２…天板、１１３…下部構造体、１１４…脚部、１２１…保持部、１２２…天板、１２３…下部構造体、１２５…脚部、１２７…中間部材、１３１…保持部、１３２…天板、１３３…下部構造体、１４１ａ，１４１ｂ，１４１ｃ，１４１ｄ…保持部、１４２…天板、１４３ａ，１４３ｂ，１４３ｃ，１４３ｄ…下部構造体、１５１…保持部、１５２…天板、１５４…側面、１５６…溝
【図１】
2019037301.tif 000003
【図２】
2019037301.tif 000004
【図３】
2019037301.tif 000005
【図４】
2019037301.tif 000006
【図５】
2019037301.tif 000007
【図６】
2019037301.tif 000008
【図７】
2019037301.tif 000009
【図８】
2019037301.tif 000010
【図９】
2019037301.tif 000011
【図１０】
2019037301.tif 000012
【図１１】
2019037301.tif 000013
【図１２】
2019037301.tif 000014